(57)【要約】本発明の１つの目的は、一実施形態において、マルチホーミング・サービス関連情報を、ユーザ機器ＵＥと３ＧＰＰ発展型パケット・コアＥＰＣとの間で、信頼性のない非３ＧＰＰアクセス・ネットワークを通じて転送する方法であり、該方法は、ＵＥと該信頼性のない非３ＧＰＰアクセス・ネットワークの発展型パケット・データ・ゲートウェイｅＰＤＧとの間のセキュリティ手順のために交換されるシグナリングを使用して、マルチホーミング・サービス関連情報を転送するステップを含む。
2013520899.tif 000002
【特許請求の範囲】
【請求項１】
マルチホーミング・サービス関連情報を、ユーザ機器ＵＥと３ＧＰＰ発展型パケット・コアＥＰＣとの間で、信頼性のない非３ＧＰＰアクセス・ネットワークを通じて転送する方法であって、
ＵＥと該信頼性のない非３ＧＰＰアクセス・ネットワークの発展型パケット・データ・ゲートウェイｅＰＤＧとの間のセキュリティ手順のために交換されるシグナリングを使用して、マルチホーミング・サービス関連情報を転送するステップを含む、方法。
【請求項２】
該シグナリングが、
ＵＥとｅＰＤＧとの間でセキュリティ鍵についてネゴシエーションするために交換されるシグナリングを含む、請求項１に記載の方法。
【請求項３】
該シグナリングが、ＩＫＥｖ２プロトコルに従って交換されるシグナリングを含む、請求項１又は２に記載の方法。
【請求項４】
ＵＥが、構成ペイロードとして該情報を含むＩＫＥ＿ＡＵＴＨ要求をｅＰＤＧに送信するステップを含む、請求項１乃至３のいずれか１項に記載の方法。
【請求項５】
ＵＥから該情報を受信すると、ｅＰＤＧが、該情報を、３ＧＰＰ  ＥＰＣ内のＰＤＮゲートウェイＰ−ＧＷに送るステップを含む、請求項１乃至４のいずれか１項に記載の方法。
【請求項６】
ｅＰＤＧと３ＧＰＰ  ＥＰＣ内のＰＤＮゲートウェイＰ−ＧＷとの間のＳ２ｂインタフェースが、ＧＴＰに基づく、請求項１乃至５のいずれか１項に記載の方法。
【請求項７】
ｅＰＤＧと３ＧＰＰ  ＥＰＣ内のＰＤＮゲートウェイＰ−ＧＷとの間のＳ２ｂインタフェースが、ＰＭＩＰに基づく、請求項５に記載の方法。
【請求項８】
ユーザ機器ＵＥであって、ＵＥと信頼性のない非３ＧＰＰアクセス・ネットワークの発展型パケット・データ・ゲートウェイｅＰＤＧとの間のセキュリティ手順のために交換されるシグナリングを使用して、マルチホーミング・サービス関連情報を、３ＧＰＰ発展型パケット・コアＥＰＣに、該信頼性のない非３ＧＰＰアクセス・ネットワークを通じて送信する手段を備える、ユーザ機器ＵＥ。
【請求項９】
発展型パケット・データ・ゲートウェイｅＰＤＧであって、ユーザ機器ＵＥとｅＰＤＧとの間のセキュリティ手順のために交換されるシグナリングを使用して、ＵＥにより、３ＧＰＰ発展型パケット・コアＥＰＣに、信頼性のない非３ＧＰＰアクセス・ネットワークを通じて送信されるマルチホーミング・サービス関連情報を、受信する手段と、
該情報を、３ＧＰＰ  ＥＰＣ内のＰＤＮゲートウェイＰ−ＧＷに送る手段と
を備える、発展型パケット・データ・ゲートウェイｅＰＤＧ。
【発明の詳細な説明】
【技術分野】
【０００１】
本発明は、一般に、通信ネットワーク及びシステムに関する。
【背景技術】
【０００２】
通信ネットワーク及びシステムの詳細な記述は、文献中、具体的には、例えば３ＧＰＰ（第３世代パートナーシップ・プロジェクト）などの標準化団体によって発行された技術仕様書などにおいて見ることができる。このようなシステムでは、ユーザ機器ＵＥ（モバイル端末など）は、アクセス・ネットワークを介して、コア・ネットワークにアクセスできる。
【０００３】
本発明は、より詳細には、３ＧＰＰアクセス・ネットワークや非３ＧＰＰアクセス・ネットワークなどの異なるアクセス・ネットワークによってアクセスされ得る発展型パケット・コア（Ｅｖｏｌｖｅｄ  Ｐａｃｋｅｔ  Ｃｏｒｅ：ＥＰＣ）を含む例えば発展型パケット・システム（Ｅｖｏｌｖｅｄ  Ｐａｃｋｅｔ  Ｓｙｓｔｅｍ：ＥＰＳ）などのマルチアクセス通信システムに関する。３ＧＰＰアクセス技術の例には、ＧＥＲＡＮ、ＵＴＲＡＮ、ＨＳＰＡ、Ｅ−ＵＴＲＡＮなどが含まれる。非３ＧＰＰアクセス技術の例には、ＷｉＦｉ、ＷｉＭＡＸ、ＣＤＭＡなどが含まれる。
【０００４】
ＥＰＳは、具体的には、３ＧＰＰ  ＴＳ２３．４０１及び３ＧＰＰ  ＴＳ２３．４０２に規定されている。図１は、３ＧＰＰアクセス・ネットワークを介したアクセスの場合又は信頼性のない非３ＧＰＰアクセス・ネットワークを介したアクセスの場合のＥＰＳ内でのユーザ・プレーン・トンネリングの一実施形態を示す。３ＧＰＰアクセス・ネットワークを介したアクセスの場合、ユーザ・プレーンは、３ＧＰＰアクセス・ネットワークＥ−ＵＴＲＡＮとＥＰＣ内のサービング・ゲートウェイ（Ｓｅｒｖｉｎｇ  Ｇａｔｅｗａｙ）Ｓ−ＧＷとの間でＧＴＰ（ＧＰＲＳトンネリング・プロトコル）を使用して、またＥＰＣ内のＳ−ＧＷとＰＤＮゲートウェイＰ−ＧＷとの間のＳ５インタフェースにわたってＧＴＰを使用して、トンネリングされる。信頼性のない非３ＧＰＰアクセス・ネットワークを介したアクセスの場合、ユーザ・プレーンは、ＵＥと非３ＧＰＰアクセス・ネットワーク（ＷｉＦｉホットスポットなど）内の発展型パケット・データ・ゲートウェイ（Ｅｖｏｌｖｅｄ  Ｐａｃｋｅｔ  Ｄａｔａ  Ｇａｔｅｗａｙ）ｅＰＤＧとの間でＩＰＳｅｃを使用して、またｅＰＤＧとＰ−ＧＷとの間のＳ２ｂインタフェースにわたってＰＭＩＰを使用して、トンネリングされる。
【０００５】
Ｓ２ｂインタフェースは、信頼性のない非３ＧＰＰアクセス・ネットワーク（例えばＷｉＦｉネットワーク）を３ＧＰＰ  ＥＰＣと相互接続するための枠組みを規定する。Ｓ２ｂインタフェースは、３ＧＰＰ  ＥＰＣ内のＰ−ＧＷと信頼性のない非３ＧＰＰアクセス・ネットワーク内のｅＰＤＧとの間の参照点である。ｅＰＤＧは、モバイル・コア・ネットワークへの入り口である。
【０００６】
このような環境では、ユーザが、複数のアクセス手段（３ＧＰＰ及び非３ＧＰＰアクセス・ネットワークなど）を使用して同時に通信できるようにし、また同じ又は異なるアプリケーションによって生成される個々のフローを、例えば、フローの特性、使用可能なアクセス手段の性能、ユーザの好み、事業者の方針などに基づいて、特定のアクセス手段に動的に経路設定できるようにする必要がある。これは、マルチアクセスＰＤＮ接続及びＩＰフロー・モビリティ（ｍｕｌｔｉ  ａｃｃｅｓｓ  ＰＤＮ  ｃｏｎｎｅｃｔｉｖｉｔｙ  ａｎｄ  ＩＰ  ｆｌｏｗ  ｍｏｂｉｌｉｔｙ）、又はマルチホーミング・サービスとも呼ばれる。
【０００７】
図２は、マルチホーミング・サービスの一例を示しており、そこでは、フローＩＤ１やフローＩＤ２などの異なるフローが、モバイル・デバイス（すなわちユーザ機器）と３ＧＰＰ  ＥＰＣ内のＰ−ＧＷとの間で、それぞれＷｉＦｉアクセス・ネットワークとＬＴＥ  Ｅ−ＵＴＲＡＮアクセス・ネットワークを介して交換される。したがって、例を挙げると、ユーザは、例えばＬＴＥ上でＶｏＩＰのセッションをもち、例えばＷｉＦｉを介してＦＴＰのダウンロードを行うことができる。
【０００８】
マルチホーミング・サービスは、マルチホーミング・サービス関連情報を、ユーザ機器と３ＧＰＰ  ＥＰＣとの間で、異なるアクセス・ネットワークを介して交換する必要がある。しかしながら、本発明者らによって認識されているように、マルチホーミング・サービス関連情報を、モバイル・デバイスと３ＧＰＰ  ＥＰＣ内のＰ−ＧＷとの間で、３ＧＰＰアクセス・ネットワークを介して交換する（ＧＴＰプロトコル及びＥＰＳ向け非アクセス層（Ｎｏｎ  Ａｃｃｅｓｓ  Ｓｔｒａｔｕｍ）ＮＡＳプロトコルによって提供される既存のプロトコル構成オプションＰＣＯフィールドを使用することによる）ことは現在可能である一方、マルチホーミング・サービス関連情報を、モバイル・デバイスと３ＧＰＰ  ＥＰＣ内のｅＰＤＧとの間で、信頼性のない非３ＧＰＰアクセス・ネットワークを介して交換することは現在不可能である。
【先行技術文献】
【非特許文献】
【０００９】
【非特許文献１】３ＧＰＰ  ＴＳ２３．４０１
【非特許文献２】３ＧＰＰ  ＴＳ２３．４０２
【非特許文献３】３ＧＰＰ  ＴＲ２３．８６１
【非特許文献４】ＲＦＣ４３０６
【発明の概要】
【発明が解決しようとする課題】
【００１０】
マルチホーミング・サービス関連情報を、ユーザ機器と３ＧＰＰ  ＥＰＣとの間で、信頼性のない非３ＧＰＰアクセス・ネットワークを通じて転送できるようにする必要がある。さらに全般的には、マルチホーミング・サービスを改善し、それによってこのようなシステムにおけるサービス品質又はユーザ体験を向上させる必要がある。
【課題を解決するための手段】
【００１１】
本発明の実施形態は特にこのようなニーズに対応する。
【００１２】
これら及び他の目的は、本発明の一態様における一実施形態では、マルチホーミング・サービス関連情報を、ユーザ機器ＵＥと３ＧＰＰ発展型パケット・コアＥＰＣとの間で、信頼性のない非３ＧＰＰアクセス・ネットワークを通じて転送する方法によって達成され、該方法は、
−  ＵＥと該信頼性のない非３ＧＰＰアクセス・ネットワークの発展型パケット・データ・ゲートウェイｅＰＤＧとの間のセキュリティ手順のために交換されるシグナリングを使用して、マルチホーミング・サービス関連情報を転送するステップを含む。
【００１３】
これら及び他の目的は、本発明の他の態様においては、このような方法を実施するための手段を備える、ユーザ機器ＵＥなどのエンティティ及び特に発展型パケット・データ・ゲートウェイｅＰＤＧなどのネットワーク・エンティティによって達成される。
【００１４】
次に、本発明の実施形態による装置及び／又は方法のいくつかの実施形態を、例示のみを目的として、添付の図を参照しながら説明する。
【図面の簡単な説明】
【００１５】
【図１】ＥＰＳにおけるユーザ・プレーン・トンネリングの一実施形態を示すことを意図する図である。
【図２】マルチホーミング・サービスの一例を示すことを意図する図である。
【図３】ＥＰＳにおけるユーザ・プレーン・トンネリングの別の実施形態を示すことを意図する図である。
【図４】本発明の一実施形態における、信頼性のない非３ＧＰＰアクセス・ネットワークへの初期アタッチメント（ａｔｔａｃｈｍｅｎｔ）を示すことを意図する図である。
【図５】本発明の一実施形態における、信頼性のない非３ＧＰＰアクセス・ネットワークへの初期アタッチ（ａｔｔａｃｈ）時点で実施されるセキュリティ手順の一例を示すことを意図する図である。
【図６】本発明の一実施形態における、信頼性のない非３ＧＰＰアクセス・ネットワークへの初期アタッチ（ａｔｔａｃｈ）時点で実施されるセキュリティ手順の一例を示すことを意図する図である。
【発明を実施するための形態】
【００１６】
前述のとおり、ＥＰＳによって提供される環境などの各環境では、ユーザが、複数のアクセス手段（３ＧＰＰアクセス・ネットワーク及び非３ＧＰＰアクセス・ネットワークなど）を使用して同時に通信できるようにし、また同じアプリケーション又は異なるアプリケーションによって生成される個々のフローを、例えば、フローの特性、使用可能なアクセス手段の性能、ユーザの好み、事業者の方針などに基づいて、特定のアクセス手段に動的に経路設定できるようにする必要がある。これは、マルチアクセスＰＤＮ接続及びＩＰフロー・モビリティ、又はマルチホーミング・サービスとも呼ばれる。マルチアクセスＰＤＮ接続及びＩＰフロー・モビリティ、又はマルチホーミング・サービスの記述は、例えば３ＧＰＰ  ＴＲ２３．８６１に見ることができる。
【００１７】
前述のとおり、マルチホーミング・サービスは、マルチホーミング・サービス関連情報を、ユーザ機器と３ＧＰＰ  ＥＰＣとの間で、異なるアクセス・ネットワークを介して交換する必要がある。しかしながら、本発明者らによって認識されているように、マルチホーミング・サービス関連情報を、モバイル・デバイスと３ＧＰＰ  ＥＰＣ内のＰ−ＧＷとの間で、３ＧＰＰアクセス・ネットワークを介して交換する（ＧＴＰプロトコルによって提供される既存のプロトコル構成オプションＰＣＯフィールドを使用することによる）ことは現在可能である一方、マルチホーミング・サービス関連情報を、モバイル・デバイスと３ＧＰＰ  ＥＰＣ内のＰ−ＧＷとの間で、信頼性のない非３ＧＰＰアクセス・ネットワークを介して交換することは現在不可能である。マルチホーミング・サービス関連情報を、ユーザ機器と３ＧＰＰ  ＥＰＣとの間で、信頼性のない非３ＧＰＰアクセス・ネットワークを通じて転送できるようにする必要がある。さらに全般的には、マルチホーミング・サービスを改善し、それによってこのようなシステムにおけるサービス品質又はユーザ体験を向上させる必要がある。
【００１８】
本発明の実施形態は特にこのようなニーズに対応する。
【００１９】
本発明の実施形態は、図１に示す実施形態で想起されるようなＰＭＩＰベースのＳ２ｂインタフェース、及び図３に示す実施形態によるＧＴＰベースのＳ２ｂインタフェースなど、Ｓ２ｂインタフェースの異なる技術で使用することができる。以下では、例示のみを目的として、ＧＴＰベースのＳ２ｂインタフェースの場合について、より具体的に考察する。例えば、Ｓ５インタフェースとＳ２ｂインタフェースの両方がＧＴＰプロトコルを実行させる、ＬＴＥとＷｉＦｉの両方を介して、ＵＥに同時にアクセスできる全くＧＴＰベースのソリューションをもつことは、有益となり得る。
【００２０】
完全なマルチホーミング・サービスをサポートするために、信頼性のない非３ＧＰＰアクセス・ネットワークへの初期アタッチ時点において、ｅＰＤＧは、マルチホーミング・サービス関連情報をＰ−ＧＷに伝達する必要があり、そのマルチホーミング・サービス関連情報は、例えば、新しくアタッチされたＵＥが、マルチホーミング・サービスを要求していること、また前のネットワークからハンドオーバを実施しないことを明示する情報などである。
【００２１】
一実施形態では、ＵＥとｅＰＤＧとの間のセキュリティ手順のために交換されるシグナリングを使用して、マルチホーミング・サービス関連情報を転送することが提案される。
【００２２】
ＵＥとｅＰＤＧとの間で実施されるセキュリティ手順は、ＩＫＥｖ２プロトコルに基づく。ＩＫＥｖ２プロトコルは、具体的には、ＲＦＣ４３０６に指定されている。
【００２３】
一実施形態では、マルチホーミング・サービス関連情報を、ＵＥとｅＰＤＧとの間で、ＩＫＥｖ２シグナリングを通じて転送することが提案される。
【００２４】
一実施形態では、ＵＥがＰＣＯフィールドをｅＰＤＧに伝達できるよう、ＰＣＯフィールドを伝達するＩＫＥｖ２シグナリングに対するオプションを規定することが提案される。このため、一実施形態では、ＰＣＯフィールドを含むことができるＩＫＥｖ２シグナリング・プロトコルのオプションを指定することが提案される。
【００２５】
ＩＫＥｖ２プロトコル（ＲＦＣ４３０６）では、構成情報をＩＫＥピア間で交換するために構成ペイロード（Ｃｏｎｆｉｇｕｒａｔｉｏｎ  ｐａｙｌｏａｄ）が使用される。一実施形態では、プロトコル構成オプションＰＣＯ情報要素とも呼ばれてＧＴＰプロトコル及びＥＰＳ向けＮＡＳプロトコルと同じ表記法を使用する、マルチホーミング・サービス関連情報を転送するために使用される新しいタイプの構成ペイロードを規定することが提案される。
【００２６】
図４は、本発明の一実施形態における、信頼性のない非３ＧＰＰアクセス・ネットワークへの初期アタッチメント時点で実施される手順の一例を示すことを意図する。特に、図４は、どこでＰＣＯフィールドが転送されるかを示す。以下のステップを定めることができる。
【００２７】
１．ＩＫＥｖ２トンネル確立手順がＵＥによって開始される。ＵＥが、ＩＫＥｖ２認証要求内で、ＩＰフロー・モビリティをサポートすることを示す（専用のＰＣＯ構成ペイロードの使用による）。
【００２８】
２．ＩＫＥｖ２プロトコルがＧＴＰトンネル確立を起動させる。ｅＰＤＧが、ＩＰフロー・モビリティ・インディケータと同じＰＣＯフィールドを含むＧＴＰセッション作成要求を、ＰＤＮ−ＧＷに送信する。ＰＤＮ  ＧＷが、この情報を使用して、セッションを処理する。つまりＰＤＮ  ＧＷは、新しいアクセス・ネットワークへのセッションのハンドオーバを実施するのではなく、むしろ同じＵＥに対する追加のエントリでベアラ・コンテキスト・テーブルを更新することになる。
【００２９】
３．ＩＰ−ＣＡＮセッション確立手順
【００３０】
４．ＰＤＮ−ＧＷアドレス更新
【００３１】
５．Ｐ−ＧＷからｅＰＤＧへのセッション作成応答。
【００３２】
６．ＩＰＳｅｃトンネル設定完了。
【００３３】
７．ｅＰＤＧが、最終ＩＫＥｖ２メッセージを、ＩＰアドレスが、対応するＩＫＥｖ２構成ペイロードに含まれた状態で送信する。ＩＰフロー・モビリティが考慮されるので、このアドレスは、ＰＤＮ−ＧＷによって、初期の無線アクセス（例えばＬＴＥ）の時にあらかじめ割り当てられたアドレスと同じにすることができる。
【００３４】
８．ＵＥからＰＤＮ  ＧＷへのＩＰ接続がこの時点で設定される。アップリンク方向のパケットはいずれも、ＵＥにより、ＩＰＳｅｃトンネルを使用して、ｅＰＤＧに対しトンネリングされる。次いでｅＰＤＧが、パケットをＰＤＮ  ＧＷに対しトンネリングする。ＰＤＮ  ＧＷから、通常のＩＰベース・ルーティングが行われる。ダウンリンク方向では、Ｐ−ＧＷが、パケットを、ポリシー・ルーティングに応じて、ＬＴＥアクセス又はＷＬＡＮアクセスのいずれかに対し経路設定する。ＷＬＡＮ側では、ＰＤＮ  ＧＷが、パケットを、バインディング・キャッシュ・エントリに基づいて、ｅＰＤＧに対しトンネリングする。次いでｅＰＤＧが、パケットを、適切なＩＰｓｅｃトンネルを介して、ＵＥに対しトンネリングする。
【００３５】
図５及び図６は、ＩＫＥｖ２シグナリングを通じたＰＣＯ転送の一実施形態を提供する。
【００３６】
ネットワーク・アタッチメント後に、ＵＥが、ＩＫＥ＿ＳＡ＿ＩＮＩＴを実行して、共通の秘密についてｅＰＤＧと合意する（例えばディフィー・ヘルマン交換による）。ステップ２では、ＵＥが、ＩＫＥ＿ＡＵＴＨ要求を送信し、特にＩＰアドレスの構成を要求する。ＵＥは、上述のとおり、符号化されたＰＣＯフィールドも含む。このフィールドはＰ−ＧＷに送られ、Ｐ−ＧＷは、新しいアクセス・ネットワークへのセッションのハンドオーバを実施するのではなく、むしろ同じＵＥに対する追加のエントリでベアラ・コンテキスト・テーブルを更新することになる。次いでＰ−ＧＷは、パケットを、ポリシー・ルーティングに応じて、ＬＴＥアクセス又はＷＬＡＮアクセスのいずれかに対し経路設定する役目を担うことになる。
【００３７】
一態様における一実施形態では、本発明は、マルチホーミング・サービス関連情報を、ユーザ機器ＵＥと３ＧＰＰ発展型パケット・コアＥＰＣとの間で、信頼性のない非３ＧＰＰアクセス・ネットワークを通じて転送する方法を提供し、該方法は、
−  ＵＥと該信頼性のない非３ＧＰＰアクセス・ネットワークの発展型パケット・データ・ゲートウェイｅＰＤＧとの間のセキュリティ手順のために交換されるシグナリングを使用して、マルチホーミング・サービス関連情報を転送するステップを含む。
【００３８】
一実施形態では、該シグナリングは、
−  ＵＥとｅＰＤＧとの間でセキュリティ鍵についてネゴシエーションするために交換されるシグナリングを含む。
【００３９】
一実施形態では、
−  該シグナリングは、ＩＫＥｖ２プロトコルに従って交換されるシグナリングを含む。
【００４０】
一実施形態では、該方法は、
−  ＵＥが、構成ペイロードとして該情報を含むＩＫＥ＿ＡＵＴＨ要求をｅＰＤＧに送信するステップを含む。
【００４１】
一実施形態では、該方法は、
−  ＵＥから該情報を受信すると、ｅＰＤＧが、該情報を、３ＧＰＰ  ＥＰＣ内のＰＤＮゲートウェイＰ−ＧＷに送るステップを含む。
【００４２】
一実施形態では、
−  ｅＰＤＧと３ＧＰＰ  ＥＰＣ内のＰＤＮゲートウェイＰ−ＧＷとの間のＳ２ｂインタフェースが、ＧＴＰに基づく。
【００４３】
一実施形態では、
−  ｅＰＤＧと３ＧＰＰ  ＥＰＣ内のＰＤＮゲートウェイＰ−ＧＷとの間のＳ２ｂインタフェースが、ＰＭＩＰに基づく。
【００４４】
他の態様では、本発明は、このような方法を実施するための手段を一実施形態において備える、ユーザ機器ＵＥなどのエンティティ及び特に発展型パケット・データ・ゲートウェイｅＰＤＧなどのネットワーク・エンティティを提供する。
【００４５】
一実施形態では、本発明はユーザ機器を提供し、このユーザ機器は、
−  ＵＥと信頼性のない非３ＧＰＰアクセス・ネットワークの発展型パケット・データ・ゲートウェイｅＰＤＧとの間のセキュリティ手順のために交換されるシグナリングを使用して、マルチホーミング・サービス関連情報を、３ＧＰＰ発展型パケット・コアＥＰＣに、該信頼性のない非３ＧＰＰアクセス・ネットワークを通じて送信する手段を備える。
【００４６】
一実施形態では、本発明は発展型パケット・データ・ゲートウェイｅＰＤＧを提供し、この発展型パケット・データ・ゲートウェイｅＰＤＧは、
−  ユーザ機器ＵＥとｅＰＤＧとの間のセキュリティ手順のために交換されるシグナリングを使用して、ＵＥにより、３ＧＰＰ発展型パケット・コアＥＰＣに、信頼性のない非３ＧＰＰアクセス・ネットワークを通じて送信されるマルチホーミング・サービス関連情報を、受信する手段と、
−  該情報を、３ＧＰＰ  ＥＰＣ内のＰＤＮゲートウェイＰ−ＧＷに送る手段と
を備える。
【００４７】
前述の手段の詳細な実装形態は、何ら特別な問題を当業者にもたらさず、したがって、当業者にとってこのような手段が、機能ごとに、前述した以上に十分に公開される必要はない。
【００４８】
当業者であれば、種々の前述の方法のステップが、プログラムされたコンピュータによって実行され得ることを容易に認識するであろう。本明細書において、一部の実施形態は、例えばデジタル・データ記憶媒体などのプログラム記憶デバイスを包含することも意図されるが、このプログラム記憶デバイスとは、マシン又はコンピュータにより読み取り可能であり、またマシンが実行可能な又はコンピュータが実行可能な、命令のプログラムを符号化し、該命令が該前述の方法のステップの一部又はすべてを実行するものである。プログラム記憶デバイスは、例えば、デジタル・メモリ、磁気ディスクや磁気テープなどの磁気記憶媒体、ハード・ドライブ、又は光学的に読み取り可能なデジタル・データ記憶媒体などでもよい。各実施形態は、前述の方法の該ステップを実施するためにプログラムされたコンピュータを包含することも意図される。
【図１】
2013520899.tif 000003
【図２】
2013520899.tif 000004
【図３】
2013520899.tif 000005
【図４】
2013520899.tif 000006
【図５】
2013520899.tif 000007
【図６】
2013520899.tif 000008
【国際調査報告】
2013520899.tif 000009
2013520899.tif 000010
2013520899.tif 000011